(57)【特許請求の範囲】
【請求項１】
操作手段からの操作指示に従って動作制御される画像形成装置であって、
前記操作手段が、移動体通信端末であり、
複数の前記移動体通信端末の固有データを記憶した固有データテーブルと、
通信可能範囲が社内に設定され、前記移動体通信端末と無線通信する無線通信手段と、
接続されたコンピューター端末から取得するジョブの処理を行う第１ジョブ処理手段と、前記移動体通信端末が前記固有データテーブルに記憶された固有データを有するかどうか前記無線通信手段を介して確認し、前記移動体通信端末が前記固有データを有する場合に、前記操作指示を設定可能な設定画面を前記移動体通信端末に表示可能にする第２ジョブ処理手段とを有する制御手段と、
表示手段と近距離無線通信手段とのみが並べて配置され、前記固有データテーブルに前記固有データが記憶された前記移動体通信端末が前記近距離無線通信手段を介してジョブを投入可能な操作パネルとを備え、
前記近距離無線通信手段は、
前記移動体通信端末から前記設定画面で設定された前記操作指示に基づくジョブを取得し、
前記第１ジョブ処理手段は、
前記コンピューター端末からジョブを取得した場合、前記固有データテーブルに記憶された固有データを有する前記複数の前記移動体通信端末に前記無線通信手段を介してブロードキャストで応答要求を送信して前記複数の前記移動体通信端末から応答があったか確認し、前記応答があった場合に、自装置が社外に持ち出されていないと判断し、前記コンピューター端末から取得した前記ジョブを実行して処理を終了し、前記応答がなかった場合に、自装置が社外に持ち出されていると判断して、前記コンピューター端末から取得した前記ジョブを実行せずに処理を終了する
ことを特徴とする画像形成装置。
【請求項２】
動作状態を表示する表示手段と前記近距離無線通信手段とが配置された操作パネル
を備えたことを特徴とする請求項１に記載の画像形成装置。
【請求項３】
前記近距離無線通信手段は、前記移動体通信端末がかざされたことを検出して、近距離無線通信により前記操作指示を取得する
ことを特徴とする請求項１又は２に記載の画像形成装置。
【請求項４】
操作手段と、該操作手段からの操作指示に従って動作制御される画像形成装置とを備えた画像形成システムであって、
前記画像形成装置は、
前記操作手段が、移動体通信端末であり、
複数の前記移動体通信端末の固有データを記憶した固有データテーブルと、
通信可能範囲が社内に設定され、前記移動体通信端末と無線通信する無線通信手段と、
接続されたコンピューター端末から取得するジョブの処理を行う第１ジョブ処理手段と、移動体通信端末が前記固有データテーブルに記憶された固有データを有するかどうか前記無線通信手段を介して確認し、前記移動体通信端末が前記固有データを有する場合に、前記操作指示を設定可能な設定画面を前記移動体通信端末に表示可能にする第２ジョブ処理手段とを有する制御手段と、
表示手段と近距離無線通信手段とのみが並べて配置され、前記固有データテーブルに前記固有データが記憶された前記移動体通信端末が前記近距離無線通信手段を介してジョブを投入可能な操作パネルとを備え、
前記近距離無線通信手段は、
前記移動体通信端末から前記設定画面で設定された前記操作指示に基づくジョブを取得し、
前記第１ジョブ処理手段は、
前記コンピューター端末からジョブを取得した場合、前記固有データテーブルに記憶された固有データを有する前記複数の前記移動体通信端末に前記無線通信手段を介してブロードキャストで応答要求を送信して前記複数の前記移動体通信端末から応答があったか確認し、前記応答があった場合に、自装置が社外に持ち出されていないと判断し、前記コンピューター端末から取得した前記ジョブを実行して処理を終了し、前記応答がなかった場合に、自装置が社外に持ち出されていると判断して、前記コンピューター端末から取得した前記ジョブを実行せずに処理を終了し、
前記移動体通信端末は、
前記無線通信により前記画像形成装置に固有データを送信し、送信した固有データが前記固有データテーブルに記憶された固有データと一致した場合に、前記操作指示を設定可能な設定画面を表示させる携帯側制御手段と、
前記設定画面を介して設定された操作指示に基づくジョブを近距離無線通信により前記画像形成装置に送信する指示送信手段とを備えた
ことを特徴とする画像形成システム。
【発明の詳細な説明】
【技術分野】
【０００１】
本発明は、複数の携帯端末と接続された画像形成装置、及び画像形成システムに関する。
【背景技術】
【０００２】
近年、ＭＦＰ（Multifunction Printer）等の画像形成装置には、盗難などで社外に持ち出された場合に、不正使用を防止する機能を備えたものがある。例えば、画像形成装置の操作部を本体部から取り外し可能に構成し、本体部のみで操作可能な機能に制限をかける技術が提案されている（例えば、特許文献１を参照）。特許文献１に開示の技術によれば、本体部が不正に持ち出されたとしても、本体部から操作部が取り外されている場合に、本体部で使用可能な機能に制限がかかる。
【先行技術文献】
【特許文献】
【０００３】
【特許文献１】特開２００８−１９３５０７号公報
【発明の概要】
【発明が解決しようとする課題】
【０００４】
しかしながら、特許文献１に開示の技術では、操作部を本体部から取り外して保管しておくのを忘れ、操作部が本体部に装着された状態で画像形成装置が盗難された場合、画像形成装置の全機能が使用可能になっていた。
【０００５】
本発明は上記課題に鑑みてなされたものであり、上記課題を解決する技術を提供することを目的とする。
【課題を解決するための手段】
【０００６】
本発明の画像形成装置は、操作手段からの操作指示に従って動作制御される画像形成装置であって、前記操作手段が、移動体通信端末であり、複数の前記移動体通信端末の固有データを記憶した固有データテーブルと、通信可能範囲が社内に設定され、前記移動体通信端末と無線通信する無線通信手段と、接続されたコンピューター端末から取得するジョブの処理を行う第１ジョブ処理手段と、前記移動体通信端末が前記固有データテーブルに記憶された固有データを有するかどうか前記無線通信手段を介して確認し、前記移動体通信端末が前記固有データを有する場合に、前記操作指示を設定可能な設定画面を前記移動体通信端末に表示可能にする第２ジョブ処理手段とを有する制御手段と、表示手段と近距離無線通信手段とのみが並べて配置され、前記固有データテーブルに前記固有データが記憶された前記移動体通信端末が前記近距離無線通信手段を介してジョブを投入可能な操作パネルとを備え、前記近距離無線通信手段は、前記移動体通信端末から前記設定画面で設定された前記操作指示に基づくジョブを取得し、前記第１ジョブ処理手段は、前記コンピューター端末からジョブを取得した場合、前記固有データテーブルに記憶された固有データを有する前記複数の前記移動体通信端末に前記無線通信手段を介してブロードキャストで応答要求を送信して前記複数の前記移動体通信端末から応答があったか確認し、前記応答があった場合に、自装置が社外に持ち出されていないと判断し、前記コンピューター端末から取得した前記ジョブを実行して処理を終了し、前記応答がなかった場合に、自装置が社外に持ち出されていると判断して、前記コンピューター端末から取得した前記ジョブを実行せずに処理を終了することを特徴とする。
また、動作状態を表示する表示手段と前記近距離無線通信手段とが配置された操作パネルを備えてもよい。
また、前記近距離無線通信は、前記移動体通信端末がかざされたことを検出して、近距離無線通信により前記操作指示を取得してもよい。
本発明の画像形成システムは、操作手段と、該操作手段からの操作指示に従って動作制御される画像形成装置とを備えた画像形成システムであって、前記画像形成装置は、前記操作手段が、移動体通信端末であり、複数の前記移動体通信端末の固有データを記憶した固有データテーブルと、通信可能範囲が社内に設定され、前記移動体通信端末と無線通信する無線通信手段と、接続されたコンピューター端末から取得するジョブの処理を行う第１ジョブ処理手段と、移動体通信端末が前記固有データテーブルに記憶された固有データを有するかどうか前記無線通信手段を介して確認し、前記移動体通信端末が前記固有データを有する場合に、前記操作指示を設定可能な設定画面を前記移動体通信端末に表示可能にする第２ジョブ処理手段とを有する制御手段と、表示手段と近距離無線通信手段とのみが並べて配置され、前記固有データテーブルに前記固有データが記憶された前記移動体通信端末が前記近距離無線通信手段を介してジョブを投入可能な操作パネルとを備え、前記近距離無線通信手段は、前記移動体通信端末から前記設定画面で設定された前記操作指示に基づくジョブを取得し、前記第１ジョブ処理手段は、前記コンピューター端末からジョブを取得した場合、前記固有データテーブルに記憶された固有データを有する前記複数の前記移動体通信端末に前記無線通信手段を介してブロードキャストで応答要求を送信して前記複数の前記移動体通信端末から応答があったか確認し、前記応答があった場合に、自装置が社外に持ち出されていないと判断し、前記コンピューター端末から取得した前記ジョブを実行して処理を終了し、前記応答がなかった場合に、自装置が社外に持ち出されていると判断して、前記コンピューター端末から取得した前記ジョブを実行せずに処理を終了し、前記移動体通信端末は、前記無線通信により前記画像形成装置に固有データを送信し、送信した固有データが前記固有データテーブルに記憶された固有データと一致した場合に、前記操作指示を設定可能な設定画面を表示させる携帯側制御手段と、前記設定画面を介して設定された操作指示に基づくジョブを近距離無線通信により前記画像形成装置に送信する指示送信手段とを備えたことを特徴とする。
【発明の効果】
【０００７】
本発明によれば、盗難された画像形成装置が使用されることを防ぐことができる技術を提供することができる。
【図面の簡単な説明】
【０００８】
【図１】本発明に係る実施形態の画像形成システムのシステム構成図である。
【図２】図１に示す画像形成装置の構成を示すブロック図である。
【図３】図１に示す画像形成装置の外観斜視図である。
【図４】図１に示す携帯端末の構成を示すブロック図である。
【図５】図１に示す画像形成システムの携帯端末から投入されるジョブに関するフローチャートである。
【図６】携帯端末に表示されるジョブの設定画面の一例である。
【図７】図１に示す画像形成システムのＰＣ端末から投入されるジョブに関するフローチャートである。
【発明を実施するための形態】
【０００９】
まず、図１を参照して本実施形態の画像形成システムの概要を説明する。
本実施形態の画像形成装置１は、複数の携帯端末３とＷｉ−Ｆｉ（登録商標）等の無線ネットワーク５で接続されるとともに、ＮＦＣ（Near Field Communication）等の近距離無線通信路６を介して通信可能に構成されている。
【００１０】
図１（ａ）は、携帯端末３から画像形成装置１にジョブを投入する流れを示した概要図である。簡単に説明すると、本実施形態は、予め登録された携帯端末３を画像形成装置１の操作部として機能するようにして、画像形成装置１から操作部をなくすことで、画像形成装置１が盗難されたときに、画像形成装置１を使用できなくなるようにするものである。ここでは、画像形成装置１は、無線ネットワーク５を介して携帯端末３から固有データを取得し、取得した固有データを固有データテーブル１１１に記憶された固有データと照合して、照合結果を携帯端末３に返信する。照合結果が照合ＯＫであった場合、携帯端末３は、画像形成装置１に対する操作指示を設定可能な設定画面を表示させることが可能になり、その設定画面を介してジョブの設定を受け付けることができる。ジョブの設定を終えた携帯端末３が画像形成装置１にかざされると、設定画面で設定された内容に基づくジョブが近距離無線通信路６を介して画像形成装置１に送信され、画像形成装置１によりジョブが実行される。
【００１１】
ところで、一般的に、画像形成装置は、ＬＡＮ（Local Area Network）ケーブル等でＰＣ（Personal Computer）端末が接続可能に構成され、ＰＣ端末からプリントジョブなどの投入を受け付けて実行できるように構成されている。そのため、画像形成装置１に操作部を設けていなくても、盗難された画像形成装置１にＰＣ端末が接続されると、ＰＣ端末を介して画像形成装置１が使用可能となってしまう。そこでさらに、本実施形態では、図１（ｂ）に示すように、画像形成装置１が、有線ネットワーク４経由でコンピューター端末２からジョブを取得した場合、自装置が社外に持ち出されていないことを確認するため、携帯端末３と接続可能か確認することにした。画像形成装置１は、有線ネットワーク４経由でコンピューター端末２からジョブを取得した場合、無線ネットワーク５を介して、複数の携帯端末３に応答要求を送信し、携帯端末３から応答があった場合、自装置が盗難されていないと判定して、ＰＣ端末２から取得したジョブを実行する。
【００１２】
図２を参照して、具体的に画像形成装置１について説明する。画像形成装置１は、ＭＦＰであり、原稿読取部１０と記憶部１１と画像処理部１２と印刷部１３と操作パネル１４と有線通信部１５と無線通信部１６とファクス部１７と制御部１８とを備えている。
【００１３】
原稿読取部１０は、図示しない原稿給紙装置により給紙されてきた原稿や、ユーザーによってプラテンガラスに載置された原稿に対して光を照射し、その反射光等を受光して原稿画像を読み取るスキャナーである。
【００１４】
記憶部１１は、半導体メモリやＨＤＤ（Hard Disk Drive）等の記憶手段であり、原稿読取部１０によって読み取られた画像データと、有線通信部１５、近距離無線通信部１４２、ファクス部１７によって受信された画像データなどが蓄積される記憶手段である。また、記憶部１１は、画像形成装置１と通信を許可された携帯端末３の固有データを格納した固有データテーブル１１１を記憶している。画像形成装置１の管理者は、有線ネットワーク４などを介して画像形成装置１に管理者ＩＤでログインし、画像形成装置１と通信を許可する携帯端末３の固有データ（例えば、個体識別番号など）を固有データテーブル１１１に登録することができる。固有データテーブル１１１には、複数の携帯端末３の固有データを登録することができる。
【００１５】
画像処理部１２は、画像データに対して所定の画像処理を行う手段である。画像処理部１２では、例えば、拡大縮小処理や、濃度調整、階調調整等の画像改善処理が行われる。
【００１６】
印刷部１３は、記憶部１１に記憶された画像データを印刷する印刷手段である。印刷部１３は、例えば、記憶部１１から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１７】
操作パネル１４は、表示部１４１と近距離無線通信部１４２とを備えており、図３に示すように、表示部１４１と近距離無線通信部１４２とが並んで配置されている。表示部１４１は、液晶ディスプレイ等で構成され、ジャムなどのエラー情報や、ジョブの実行状況など、画像形成装置１００の状態を表示する。表示部１４１は、簡易的でよく、例えば２行表示の液晶ディスプレイであってもよい。近距離無線通信部１４２は、ＮＦＣ（Near Field Communication）などのＲＦＩＤ（Radio Frequency IDentification）技術により、携帯端末３が近接したときに、携帯端末３との間で各種データを送受信する機能を有する。近距離無線通信部１４２は、操作パネル１４に携帯端末３がかざされると、携帯端末３と近距離無線通信を行って、携帯端末３からジョブを取得する。なお、近距離無線通信部１４２は、操作パネル１４に限らず、画像形成装置１の他の位置に設けられてもよい。
【００１８】
有線通信部１５は、ＬＡＮケーブル等による有線ネットワーク４を介して、ＰＣ端末２と各種データを送受信する機能を有し、例えば、ＰＣ端末２からジョブを取得する。
【００１９】
無線通信部１６は、Ｗｉ−Ｆｉ（登録商標）等による無線ネットワーク５を介して、携帯端末３と各種データを送受信する機能を有する。例えば、無線通信部１６は、携帯端末３と接続できるか確認したり、携帯端末３から固有データを受信すると、受信した固有データを固有データテーブル１１１に記憶された固有データと照合した照合結果を返信したりする。なお、無線通信部１６は、通信可能範囲が、画像形成装置１の設置場所として定められた会社の社内となるように設定されている。
【００２０】
ファクス部１７は、モデムを有し、原稿読取部１０によって読み取られた画像データや、記憶部１１に記憶されている画像データからファクシミリ信号を生成し、生成したファクシミリ信号を公衆回線網経由で送信するファクシミリ送信機能と、公衆回線網経由でファクシミリ信号を受信するファクシミリ受信機能とを備えている。
【００２１】
制御部１８は、原稿読取部１０、記憶部１１、画像処理部１２、印刷部１３、操作パネル１４、有線通信部１５、無線通信部１６及びファクス部１７にそれぞれ接続されている。制御部１８は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１８は、ＲＯＭに記憶されている制御プログラムを読み出し、制御プログラムをＲＡＭに展開させることで、装置全体の制御を行う。また、制御部１８は、ＰＣ端末２から取得するジョブの処理を行う第１ジョブ処理部１８１と、携帯端末３から取得するジョブの処理を行う第２ジョブ処理部１８２として機能する。第１ジョブ処理部１８１と第２ジョブ処理部１８２については後述する。
【００２２】
図４に示すように、携帯端末３は、スマートフォン、携帯電話、タブレット端末、又はＰＤＡ（Personal Digital Assistant）等のポータブルデバイスであり、操作部３１と記憶部３２と無線通信部３３と近距離無線通信部３４と制御部３５とを備えている。
【００２３】
操作部３１は、各種情報を表示する表示部と各種操作キーを備えたユーザーインターフェースである。表示部は、表示パネルの表面に透明の感圧センサーが設けられた表示手段及び入力手段として機能するタッチパネルであってもよい。
【００２４】
記憶部３２は、半導体メモリやＨＤＤ等の記憶手段であり、操作用ＡＰＰ３２１を記憶している。操作用ＡＰＰ３２１は、画像形成装置１を遠隔操作するためのアプリケーションプログラムであり、携帯端末３にインストールされている。ユーザーは、無線通信部３３を介してインターネットなどから操作用ＡＰＰ３２１をダウンロードして、携帯端末３にインストールすることができる。
【００２５】
無線通信部３３は、無線ネットワーク５を介して、画像形成装置１と各種データを送受信する機能を有し、例えば、画像形成装置１に固有データを送信したり、画像形成装置１からの応答要求に応じたりすることができる。
【００２６】
近距離無線通信部１４２は、ＲＦＩＤ（Radio Frequency IDentification）技術により、携帯端末３が操作パネル１４にかざされると、近距離無線通信路６を介して、画像形成装置１との間で各種データを送受信する機能を有し、例えば、画像形成装置１にジョブを投入することができる。
【００２７】
制御部３５は、操作部３１、記憶部３２、無線通信部３３及び近距離無線通信部３４にそれぞれ接続され、操作部３１から入力された所定の指示情報に応じて携帯端末３全体の動作制御を実行する。制御部３５は、ＲＯＭ、ＲＡＭ等を備えたマイクロコンピュータ等の情報処理部である。ＲＯＭには携帯端末３の動作制御を行うための制御プログラムが記憶されている。制御部３５は、ＲＯＭに記憶されている制御プログラムを読み出し、制御プログラムをＲＡＭに展開させることで、操作部３１から入力された所定の指示情報に応じて端末全体の制御を行う。
【００２８】
また、制御部３５は、操作部３１を介して操作用ＡＰＰ３２１を起動させる操作が行われたことを検出すると、記憶部３２に記憶された操作用ＡＰＰ３２１を読み出して、ＲＡＭに展開させて、操作用ＡＰＰ３２１を起動させる。これにより、制御部３５は、操作用ＡＰＰ３２１の機能を実現する応答部３５１と操作処理部３５２として機能する。
【００２９】
応答部３５１は、無線通信部３３を介して画像形成装置１から後述する応答要求を受信した場合に、無線通信部３３を介して画像形成装置１に応答を返す機能を有する。なお、応答部３５１は、操作用ＡＰＰ３２１がインストールされたときに、バックグラウンドで動作可能に構成されている。
操作処理部３５２は、画像形成装置１における、プリント機能、コピー機能、ファクシミリ機能及びスキャナー機能等の操作が可能であり、各種機能を利用したジョブを近距離無線通信部３４により画像形成装置１に送信する機能を有する。
【００３０】
以上の構成の画像形成システムにおける処理の流れを図５、図６を参照して説明する。
【００３１】
図５は、携帯端末３からジョブが投入される場合の画像形成システムの処理の流れを示すフローチャートである。ここでは、携帯端末３から画像形成装置１のスキャン機能を利用したスキャンジョブが投入される場合を例に説明する。
【００３２】
携帯端末３は、操作用ＡＰＰ３２１が起動するまで待機しており（ステップｓ３１）、起動していなければ（ステップｓ３１でＮｏ）、ステップｓ３１に処理を戻す。操作用ＡＰＰ３２１が起動すると（ステップｓ３１でＹｅｓ）、携帯端末３の操作処理部３５２は、無線通信部３３を介して無線ネットワーク５経由で固有データを画像形成装置１に送信する（ステップｓ３２）。
【００３３】
画像形成装置１の第２ジョブ処理部１８２は、無線通信部１６を介して無線ネットワーク５経由で固有データを受信するまで待機しており（ステップｓ３３）、固有データを受信していなければ（ステップｓ３３でＮｏ）ステップｓ３３に処理を戻す。固有データを受信すると（ステップｓ３３でＹｅｓ）、第２ジョブ処理部１８２は、固有データテーブル１１１を参照して、受信した固有データを記憶された固有データと照合し（ステップｓ３４）、照合結果を固有データの送信元である携帯端末３に無線ネットワーク５経由で送信する(ステップｓ３５)。
【００３４】
携帯端末３の操作処理部３５２は、照合結果を取得するまで待機しており（ステップｓ３６）、照合結果を取得していない場合（ステップｓ３６でＮｏ）、ステップｓ３６に処理を戻す。照合結果を取得すると（ステップｓ３６でＹｅｓ）、操作処理部３５２は、照合結果が照合ＯＫだったか（送信した固有データが固有データテーブル１１１に記憶された固有データと一致したか）判定し（ステップｓ３７）、照合ＯＫでなかった場合（ステップｓ３７でＮｏ）、照合失敗を通知して（ステップｓ３８）、本処理を終了する。
【００３５】
一方、照合ＯＫだった場合（ステップｓ３７でＹｅｓ）、操作処理部３５２は、画像形成装置１に送信するジョブの設定を受け付け可能な設定画面にアクセス可能となり、例えばスキャンジョブの設定画面を操作部３１に表示して（ステップｓ３９）、ユーザーからの操作によりスキャンジョブの設定を受け付ける（ステップｓ４０）。
【００３６】
図６（ａ）に示すように、スキャンジョブの設定画面７０では、ファイル名、カラー、ファイル種別、原稿サイズ、原稿の両面印刷の種類、原稿の向きなどを設定することができる。ＯＫボタン７１がクリックされると、設定画面で設定された操作指示に基づくスキャンジョブが作成され、図７（ｂ）に示すジョブ投入画面７２が操作部３１に表示される。ユーザーは、画像形成装置１の不図示の原稿台にスキャンする原稿をセットして、ジョブ投入画面７２が表示された携帯端末１を操作パネル１４にかざす。
【００３７】
携帯端末３の操作処理部３５２は、操作パネル１４にかざされるまで待機しており（ステップｓ４１）、操作パネル１４にかざされると（ステップｓ４１でＹｅｓ）、近距離無線通信部３４を介して近距離無線通信により設定画面７０で受け付けたスキャンジョブを画像形成装置１に投入する（ステップｓ４２）。
【００３８】
画像形成装置１の第２ジョブ処理部１８２は、近距離無線通信部１４２により近距離無線通信でスキャンジョブを取得するまで待機しており（ステップｓ４３）、近距離無線通信でスキャンジョブを取得していない場合（ステップｓ４３でＮｏ）、ステップｓ４３の処理に戻る。近距離無線通信でスキャンジョブを取得すると（ステップｓ４３でＹｅｓ）、第２ジョブ処理部１８２は、取得したスキャンジョブを実行することで（ステップｓ４４）、原稿台にセットされた原稿を読み取って画像データを作成し、本処理を終了する。
【００３９】
次に、図７を参照して、ＰＣ端末２からジョブが投入される場合の画像形成システムの処理の流れを説明する。ここでは、ＰＣ端末２からプリントジョブが投入される場合を例に説明する。
【００４０】
ＰＣ端末２は、ユーザーによるプリント機能の操作を受け付け（ステップｓ５１）、有線ネットワーク４を介してプリントジョブを画像形成装置１に送信する（ステップｓ５２）。
【００４１】
画像形成装置１の第１ジョブ処理部１８１は、有線ネットワーク４を介して有線通信部１５がプリントジョブを取得するまで待機しており（ステップｓ５３）、取得していなければ（ステップｓ５３でＮｏ）、ステップｓ５３に戻る。有線通信部１５がプリントジョブを取得すると（ステップｓ５３でＹｅｓ）、第１ジョブ処理部１８１は、無線通信部１６により無線ネットワーク５を介して携帯端末３に応答要求を送信する（ステップｓ５４）。応答要求は、ブロードキャストで送信されてもよいし、個々の無線端末３を指定して送信されてもよい。
【００４２】
複数の携帯端末３の応答部３５１は、無線通信部３３が画像形成装置１から応答要求を受信するまで待機しており（ステップｓ５５）、応答要求を受信していなければ（ステップｓ５５でＮｏ）、ステップｓ５５に戻る。応答要求を受信した携帯端末３の応答部３５１は（ステップｓ５５でＹｅｓ）、無線通信部３３を介して、無線ネットワーク５経由で画像形成装置１に応答要求を受信した旨を示す応答を送信する（ステップｓ５６）。なお、画像形成装置１の無線通信部１６の通信距離から離れた位置にいる携帯端末３は、応答要求を受信できないので応答しない。
【００４３】
画像形成装置１の第１ジョブ処理部１８１は、応答要求を送信すると、携帯端末３から応答があるか判定する（ステップｓ５７）。所定時間経過しても応答がなかった場合（ステップｓ５７でＮｏ）、画像形成装置１が社外に持ち出されたと判断して、ＰＣ端末２から投入されたジョブを実行せずに、本処理を終了する。
【００４４】
一方、携帯端末３から応答があった場合（ステップｓ５７でＹｅｓ）、第１ジョブ処理部１８１は、画像形成装置１が社外に持ち出されていないと判断して、ＰＣ端末２から投入されたジョブを実行して（ステップｓ５８）、本処理を終了する。
【００４５】
なお、ＰＣ端末２は、無線ネットワーク５を介して画像形成装置１に接続されていてもよく、この場合、無線ネットワーク５経由でジョブを投入してもよい。
【００４６】
このように、本実施形態の画像形成システムは、ＰＣ端末２と複数の携帯端末３と画像形成装置１とを備えており、画像形成装置１は、操作パネル１４に表示部１４１と近距離無線通信部１４２が設けられており、複数の携帯端末３の固有データが登録された固有データテーブル１１１を記憶している。画像形成装置１は、無線通信部１６を介して固有データテーブル１１１に記憶された固有データを有する携帯端末３か確認し、固有データテーブル１１１に記憶された固有データを有する携帯端末３に限り、ジョブの設定画面を表示可能にし、近距離無線通信部１４２を介して携帯端末３からジョブを取得して実行する。そのため、本実施形態では、画像形成装置１の操作パネル１４に表示部１４１と近距離無線通信部１４２しか設けられていないため、画像形成装置１本体が持ち出されても、画像形成装置１を直接操作することができない。また、登録された固有データを有する携帯端末３以外は、近距離無線通信部１４２を介してジョブを投入できないので、画像形成装置１の不正使用を防止することができる。
【００４７】
また、画像形成装置１は、ＰＣ端末２からジョブが投入された場合、固有データテーブル１１１に記憶された固有データを有する携帯端末３と無線通信部１６を介して接続確認できた場合に限り、ＰＣ端末２からのジョブを実行する。そのため、画像形成装置１本体が社外に持ち出された場合、無線通信部１６が携帯端末３との通信不可能になるため、画像形成装置１にＰＣ端末２が接続されても、画像形成装置の不正使用を防止することができる。
【００４８】
本発明は上述した実施の形態に限定されるものではなく、本発明の趣旨を逸脱しない範囲で種々様々に変更が可能であることは言うまでもない。
【符号の説明】
【００４９】
１  画像形成装置
２  ＰＣ端末
３  携帯端末（移動体通信端末）
４  有線ネットワーク
５  無線ネットワーク
６  近距離無線通信路
１０  原稿読取部
１１  記憶部
１２  画像処理部
１３  印刷部
１４  操作パネル
１５  有線通信部
１６  無線通信部
１７  ファクス部
１８  制御部
３１  操作部
３２  記憶部
３３  無線通信部
３４  近距離無線通信部（指示送信手段）
３５  制御部
７０  設定画面
７１  ＯＫボタン
７２  ジョブ投入画面
１１１  固有データテーブル
１４１  表示部
１４２  近距離無線通信部（指示取得手段）
１８１  第１ジョブ処理部
１８２  第２ジョブ処理部
３２１  操作用ＡＰＰ
３５１  応答部
３５２  操作処理部
【図１】
0006005623.tif 000002
【図２】
0006005623.tif 000003
【図３】
0006005623.tif 000004
【図４】
0006005623.tif 000005
【図５】
0006005623.tif 000006
【図６】
0006005623.tif 000007
【図７】
0006005623.tif 000008